(57)【要約】【課題】車室内を広範囲にわたって適度に照明することができる発光装飾品を提供する。【解決手段】発光装飾品２０は、車室内に設けられたカップホルダー１１に収容され、夜間において車室内を照明するために使用される。この発光装飾品２０は、カップホルダー１１の内部に保持されるベース部２１と、同ベース部２１上に取着されるカバー２２とを備えている。カバー２２は、導光体からなり、ベース部２１内に配設された複数のＬＥＤ２７からの光により発光されるようになっている。【選択図】図２
2007145089.tif 000002
【特許請求の範囲】
【請求項１】
ベース部と、同ベース部上に取着されるカバーとを備え、カップを取り囲んで保持するカップホルダーに収容される発光装飾品において、
前記ベース部は光源を備え、導光体からなる前記カバーは前記光源からの光が照射されて発光可能とされ、
前記ベース部は、前記光源と前記カバーとの間に物品載置空間が確保できるように、物品載置板を有してなることを特徴とする発光装飾品。
【請求項２】
前記光源は前記物品載置板の下方に配設されており、同物品載置板には前記光源から照射される光を前記カバーに透過させる透光部が設けられていることを特徴とする請求項１に記載の発光装飾品。
【請求項３】
前記光源は、前記透光部に対向して配設されていることを特徴とする請求項２に記載の発光装飾品。
【請求項４】
前記カバーの内面又は外面には、シボ加工又はホーニング加工により凹凸模様が施されている請求項１〜請求項３のいずれか一項に記載の発光装飾品。
【発明の詳細な説明】
【技術分野】
【０００１】
本発明は、カップホルダーに収容され、車室内を照明することが可能な発光装飾品に関するものである。
【背景技術】
【０００２】
通常、自動車の室内には、コンソールボックス、グローブボックス、カップホルダー等の収納部が設けられている。そして、コンソールボックス及びグローブボックスの内部には各種の小物類が収容されるとともに、カップホルダーには飲料容器が保持されるようになっている。しかしながら、夜間においてはコンソールボックス、グローブボックス等の収納部の内部が視認し難いため、そこから特定の小物を見つけ出すことは容易ではなく、時間を要するものであった。また、カップホルダーにおいては、その位置が視認し難いものとなり、飲料容器を保持させるまでに時間を要することも考えられる。そこで、夜間でもそれら収納部の内部を視認しやすいものとするため、照明装置が一体で設けられた収納部が知られている（例えば、特許文献１〜３参照）。
【０００３】
すなわち、特許文献１においては、ボックス本体と、同ボックス本体の外壁に固定されてなるＬＥＤモジュールと、ボックス本体の内部に設けられてＬＥＤの光を所定方向へ導く導光板とを備える収納部が開示されている。
【０００４】
特許文献２においては、車両のセンターコンソールに固定される固定トレイと、同固定トレイに対してスライド自在に設けられるとともに各種小物類が収容可能とされるスライドトレイと、固定トレイの内部に設けられて前記スライドトレイの内部を照明し得る光源ユニットとから構成される収納部が開示されている。
【０００５】
また、特許文献３に記載の収納部（カップホルダー）は、車両のフロントパネル等に固定される基部と、同基部に設けられて飲料容器の側部を保持する保持部と、同じく基部に設けられて飲料容器の底部を支持する底受け部とを備えている。そして、基部の内部には、保持部のみを照明し得る発光部が具備されている。
【特許文献１】特開２００２−１４４９６５号公報
【特許文献２】特開２００５−１３２３６７号公報
【特許文献３】特開平１１−３１００７０号公報
【発明の開示】
【発明が解決しようとする課題】
【０００６】
ところで、上記従来の収納部は、照明装置が一体で設けられているため、たしかに、同収納部の内部を視認することは容易となる。しかしながら、照明する対象が収納部の内部である以上、収納部の外方まで広く照明することは極めて困難である。そのため、例えば、夜間において収納部から取り出した小物を誤って車室内に落とした場合には、そうした小物を探し出すのに相当の時間を要する可能性がある。こうした場合、車室内灯を点灯すればよいのではあるが、外部から車室内が容易に見えるようになるため、乗員にとっては極めて不都合であった。
【０００７】
この発明は、こうした従来の実情に鑑みてなされたものであり、その目的は、車室内を広範囲にわたって適度に照明することができる発光装飾品を提供することにある。
【課題を解決するための手段】
【０００８】
上記の目的を達成するために、請求項１に記載の発明の発光装飾品は、ベース部と、同ベース部上に取着されるカバーとを備え、カップを取り囲んで保持するカップホルダーに収容される発光装飾品において、前記ベース部は光源を備え、導光体からなる前記カバーは前記光源からの光が照射されて発光可能とされ、前記ベース部は、前記光源と前記カバーとの間に物品載置空間が確保できるように、物品載置板を有してなることを要旨とする。
【０００９】
本発明の発光装飾品は車両のカップホルダーに保持可能とされ、光源からの光がカバーに照射されることで同カバーが発光する。この場合、カバーは導光体より形成されているため、同カバーにおいては全体にわたっての好適な発光が可能となる。これにより、発光装飾品の周囲が広範囲にわたって適度な明るさで照明されるようになる。そして、夜間において発光装飾品の周囲が適度な明るさで照明されることにより、車室内の演出効果が高められるようになる。さらに、車室内にカップホルダーが複数個具備されている場合には、任意のカップホルダーを選択してそのカップホルダーに発光装飾品を保持させることで、乗員の意図する箇所の照明が可能となる。
【００１０】
また、本発明の発光装飾品においては、物品載置空間内に各種物品が載置されるようになっている。こうした場合、夜間において、物品載置板上に各種物品が載置された状態でカバーを発光させることにより、各種物品が明るく照らされて視認しやすくなるとともに、例えば、車室内にこれら物品類が浮かび上がることによって幻想的な照明効果が演出されるようになる。
【００１１】
請求項２に記載の発明の発光装飾品は、請求項１に記載の発明において、前記光源は前記物品載置板の下方に配設されており、同物品載置板には前記光源から照射される光を前記カバーに透過させる透光部が設けられていることを要旨とする。
【００１２】
上記構成によれば、光源からの光は、物品載置板の下方から透光部を通じてカバーに照射される。そのため、例えば、物品載置板より上方に光源が設けられている場合に比べ、カバーに照射される光の量は明らかに低減する。すなわち、光源からの光は、ある程度絞られた状態でカバーに対して照射されるようになる。その結果、カバーが過剰に明るく照らされることがなく、より適度な明るさで発光され、夜間における車室内の照明が好適なものとなる。
【００１３】
請求項３に記載の発明の発光装飾品は、請求項２に記載の発明において、前記光源は、前記透光部に対向して配設されていることを要旨とする。
上記構成によれば、光源を透光部に対向して配設することにより、光源から発せられる光がカバーに対して照射されやすくなる。したがって、本発明の発光装飾品においては、カバーに対して光が充分に照射されずに同カバー全体が充分に発光されないといった不具合が回避され、より適度な明るさで発光されて夜間における車室内の照明が好適なものとなる。
【００１４】
請求項４に記載の発明の発光装飾品は、請求項１〜請求項３のいずれか一項に記載の発明において、前記カバーの内面又は外面には、シボ加工又はホーニング加工により凹凸模様が施されていることを要旨とする。
【００１５】
上記構成によれば、光源から発せられた光が、カバーの内面又は外面に施された凹凸模様を介して屈折されて多方面に拡散されるようになり、幻想的な照明効果が容易に演出されるようになる。また、カバーの内面又は外面に凹凸模様を施すことにより、同カバー全体が滑らかな面により構成されている場合に比べて外観の意匠性が高められ、高級感が付与される。
【発明の効果】
【００１６】
本発明の発光装飾品によれば、車室内を広範囲にわたって適度に照明することができる。
【発明を実施するための最良の形態】
【００１７】
以下、本発明を、車両のカップホルダーに収容される発光装飾品に具体化した実施形態を図面に基づいて説明する。
図１に示すように、本実施形態の発光装飾品２０は、車室内に設けられたカップホルダー１１に収容され、夜間において車室内を適度に照明するために使用される。ここでは、まず、カップホルダー１１について簡単に説明する。カップホルダー１１は、例えば、車室内のコンソールボックス１２において一体的に配設されている。そして，図２に示すように、同カップホルダー１１は、コンソールボックス１２の上面に開口されており、カップ（図示せず）の底面が載置されるカップ載置部１３と、同カップの周面を取り囲んで保持する保持部１４とから構成されている。
【００１８】
次に、本実施形態の発光装飾品２０について詳しく説明する。発光装飾品２０は、カップホルダー１１の内部に保持されるベース部２１と、同ベース部２１上に取着されるカバー２２とを備えている。以下、ベース部２１及びカバー２２について順次説明する。
【００１９】
図２及び図３に示すように、ベース部２１は、カップホルダー１１の載置部１３上に載置される底壁部材２４と、底壁部材２４の周縁に沿って立設される周壁部材２５と、周壁部材２５の上部開口を閉鎖してカバー２２との間に物品載置空間Ｋ１を形成し得る物品載置板２６と、物品載置板２６の下方に配設される光源（ＬＥＤ２７）とを備えている。ちなみに、本実施形態においては、底壁部材２４及び周壁部材２５は、光を透過しないように構成されている。すなわち、これら底壁部材２４及び周壁部材２５は、例えば、光の透過を許容しない材料より形成されている。この種の材料としては、例えば、汎用樹脂に顔料や充填剤を含有させることで得られる不透明材料の他、各種金属等が挙げられる。なお、底壁部材２４及び周壁部材２５においては、光を透過しないのであれば、それらの構成は特に限定されるものではなく、如何なるものであってもよい。
【００２０】
図２に示すように、底壁部材２４は、略円板状をなす底部３１と、その底部３１の周縁に沿って上方に立設されてなる側部３２とを備えている。この底壁部材２４には、底部３１を上方へ膨出させることで収容空間Ｋ２が形成されている。そして、この収容空間Ｋ２には乾電池３３が収容されており、その状態で収容空間Ｋ２の開口部が蓋部材３４により閉鎖されている。底部３１の略中央位置には、後述するビス４５を挿通可能とする第１貫通孔３１ａが形成されている。また、周壁部材２５は円筒状に形成されており、前記底壁部材２４の側部３２上に、図示しない固定手段を介して固着されている。
【００２１】
物品載置板２６は、円板状に形成されるとともに各種物品が載置される物品載置部３６と、同物品載置部３６の周縁に沿って下方へ延設されてなる断面Ｌ字状の側部３７とを備えている。この側部３７は、物品載置部３６の周縁において下方へ垂設されてなる第１側部３７ａと、同第１側部３７ａの下端において前記物品載置部３６の周方向外方に向かって水平に延びる第２側部３７ｂとを備えている。
【００２２】
第１側部３７ａの外径ｐは、前記周壁部材２５の内径ｑよりも小さく設定されている。また、第２側部３７ｂの外径ｒ（物品載置板２６の中心を挟んで相対向する第２側部３７ｂの端面Ｔ間距離）は、前記周壁部材２５の内径ｑと同一又は僅かに小さく設定されている。そして、第１側部３７ａと、同第１側部３７ａに対向する周壁部材２５の上端部と、第２側部３７ｂとにより、後述するカバー２２の下端部が挿入されて保持される挿入部Ｓが形成されている。さらに、物品載置板２６の中央部、すなわち底壁部材２４の第１貫通孔３１ａに対向する箇所には筒状部３９が下方に向けて延設されているとともに、この筒状部３９の内面には雌ねじ部３９ａが螺刻されている。
【００２３】
また、本実施形態の物品載置板２６は、前記ＬＥＤ２７から発せられる光の透過を許容する透光部と、同光の透過を許容しない遮光部とを有している。この透光部としての透光孔４１は、図３に示すように、物品載置板２６の周縁において、周方向に沿って等間隔に複数（本実施形態では４つ）穿設されている。透光孔４１の一端は第２側部３７ｂの端面に開口されているとともに、他端は第１側部３７ａの上端部に位置している。一方、遮光部は、透光孔４１以外の箇所全体にわたって設けられている。この遮光部は、例えば、物品載置板２６自体を、光の透過を許容しない材料より形成することで設けられる。この種の材料としては、例えば、汎用樹脂に顔料や充填剤を含有させることで得られる不透明材料の他、各種金属等が挙げられる。なお、この遮光部においては、光を透過しないのであれば、その構成は特に限定されるものではなく、如何なるものであってもよい。
【００２４】
図２に示すように、物品載置板２６の透光孔４１の下方には、これと対向してＬＥＤ２７がそれぞれ支持板４３上（支持板４３の周縁部上）に支持された状態で配設されている。これらＬＥＤ２７は、図示しないリード線を介して電源としての乾電池３３及びスイッチに接続され、このスイッチの操作によりＬＥＤ２７の点灯状態が制御される。
【００２５】
これらＬＥＤ２７を支持する支持板４３は、円板状に形成されており、物品載置板２６（筒状部３９）と底壁部材２４との間に挟持されている。この支持板４３の中央部、すなわち底壁部材２４の第１貫通孔３１ａに対向する箇所には、後述するビス４５を挿通可能とする第２貫通孔４３ａが形成されている。そして、これら底壁部材２４の第１貫通孔３１ａ、支持板４３の第２貫通孔４３ａ、及び筒状部３９の内部（雌ねじ部３９ａ）を連通させた状態で、各貫通孔３１ａ，４３ａを通じてビス４５が雌ねじ部３９ａに螺合されることで、底壁部材２４、支持板４３及び物品載置板２６が一体となって固定されている。
【００２６】
次に、カバー２２について説明する。カバー２２は、導光体よりなり、例えば、光透過率の高い透明樹脂から形成されている。この種の透明樹脂の具体例としては、例えば、アクリル樹脂、メタクリル樹脂、ポリカーボネート系樹脂、ポリエステル系樹脂、塩化ビニル系樹脂等が挙げられる。このカバー２２は、ドーム状に形成されているとともに、その外面にはシボ加工による凹凸模様５０が施されている。そして、こうした凹凸模様５０をカバー２２に施すことにより、ＬＥＤ２７から発せられた光が、同凹凸模様５０を介して屈折されて多方面に拡散されるようになる。このシボ加工を施す手法としては、サンドブラストによる方法、化学エッチング法、フォトエッチング法、電鋳法又は放電加工による方法等、従来公知の手法が挙げられる。ちなみに、本実施形態においては、ＬＥＤ２７から照射された光を充分に拡散することができるのであれば、凹凸模様５０の表面粗さは特に限定されるものではない。なお、図３においては、便宜上、凹凸模様の図示が省略されているものとする。
【００２７】
同カバー２２は、ベース部２１の挿入部Ｓ内に下端部が挿入されて保持された状態で、同ベース部２１に対して着脱可能に取着されている。そして、カバー２２の内面と物品載置板２６（物品載置部３６）の上面との間には、各種物品類が載置及び収容される物品載置空間Ｋ１が確保されている。
【００２８】
次に、本実施形態の発光装飾品２０の作用について以下に説明する。
上述したように、本実施形態の発光装飾品２０は車両のカップホルダー１１に収容された状態で使用される。このとき、ＬＥＤ２７から発せられた光は、物品載置板２６の透光孔４１を通じてある程度絞られた状態でカバー２２の下端部に照射される。すると、本実施形態のカバー２２は導光体より形成されているため、同カバー２２においては全体にわたっての好適な発光が可能となる。すなわち、明るさのムラが極力抑制された状態で、カバー２２が発光する。これにより、発光装飾品２０の周囲が広範囲にわたって適度な明るさで照明されるようになる。その結果、例えば、夜間においてコンソールボックスやグローブボックス等から取り出した物品を誤って車室内に落とした場合には、そうした物品を短時間で容易に探し出すことが可能となる。さらに、物品載置空間Ｋ１内に各種物品が載置された状態でカバー２２が発光された場合には、各種物品が明るく照らされて視認しやすくなる。これにより、乗員は複数の物品の中から所望の物品を容易に見つけ出すことができる。
【００２９】
また、夜間において発光装飾品２０の周囲が適度な明るさで照明されることにより、車室内の演出効果が高められるようになる。特に、物品載置空間Ｋ１内に各種物品が載置されている場合には、カバー２２の発光によってこれら各種物品が照らされて車室内に浮かび上がったり、各種物品に対してＬＥＤ２７からの光が屈折されたりすることにより、幻想的な照明効果が演出されるようになる。
【００３０】
前記の実施形態によって発揮される効果について、以下に記載する。
（１）  本実施形態の発光装飾品２０は、ＬＥＤ２７を具備するベース部２１と、同ベース部２１上に取着されるカバー２２とを備えている。そして、同発光装飾品２０は、車室内に設けられたカップホルダー１１に収容可能とされ、ＬＥＤ２７からの光がカバー２２に照射されることで同カバー２２が発光する。このとき、カバー２２は導光体より形成されているため、同カバー２２においては全体にわたっての好適な発光が可能となり、発光装飾品２０の周囲を広範囲にわたって適度な明るさで照明することができる。そして、車室内にカップホルダー１１が複数個具備されている場合には、任意のカップホルダーを選択してそのカップホルダーに発光装飾品２０を保持させることで、乗員の意図する箇所を照明することができる。また、カバー２２の発光に伴って車室内が適度に照らされることで、夜間における車室内の演出効果を高めることもできる。
【００３１】
さらに、通常は飲料容器等が保持されるカップホルダー１１に発光装飾品２０が収容可能とされることで、その発光装飾品２０を収容するスペースを別途車室内に設ける必要がなく、カップホルダー１１の多機能化を図ることができる。
【００３２】
（２）  本実施形態の発光装飾品２０においては、物品載置空間Ｋ１内に各種物品が載置されるようになっている。こうした場合、夜間において、物品載置板２６上に各種物品が載置された状態でカバー２２を発光させることにより、各種物品が明るく照らされて視認しやすくなる。これにより、乗員は複数の物品の中から所望の物品を容易に見つけ出すことができる。さらに、各種物品が明るく照らされることで車室内にこれら物品類が浮かび上がり、幻想的な照明効果を演出することができる。
【００３３】
（３）  本実施形態の発光装飾品２０においては、ＬＥＤ２７からの光は、物品載置板２６の下方から透光孔４１を通じてカバー２２に照射される。これにより、ＬＥＤ２７からの光は、ある程度絞られた状態でカバー２２に対して照射されるようになる。その結果、カバー２２が過剰に明るく照らされることがなく、より適度な明るさで発光され、夜間における車室内の照明を好適なものとすることができる。
【００３４】
（４）  ＬＥＤ２７は透光孔４１の下方にこれと対向して配設されているため、ＬＥＤ２７から発せられる光がカバー２２に対して照射されやすくなる。このため、本実施形態の発光装飾品２０においては、カバー２２に対して光が充分に照射されずに同カバー２２全体が充分に発光されないといった不具合が回避され、より適度な明るさで発光させることが容易となる。
【００３５】
（５）  本実施形態の発光装飾品２０におけるカバー２２には、シボ加工による凹凸模様５０が施されている。その結果、ＬＥＤ２７から発せられた光が、カバー２２の凹凸模様５０を介して屈折されて多方面に拡散されるようになり、幻想的な照明効果を容易に演出することができる。また、カバー２２に凹凸模様５０を施すことにより、同カバー２２全体が滑らかな面により構成されている場合に比べて外観の意匠性が高められ、高級感を付与することができる。
（変更例）
なお、本実施形態は、次のように変更して具体化することも可能である。
【００３６】
・  本実施形態では、カバー２２の外面に凹凸模様５０を施したが、これをカバー２２の内面に施す構成を採用してもよい。また、この凹凸模様５０は省略されてもよい。このように、凹凸模様５０を省略した場合、凹凸模様５０を施す工程が省略され、製造工程の簡略化を図ることができる。
【００３７】
・  本実施形態では、凹凸模様５０をシボ加工により施したが、その方法はこれに限定されるものではなく、例えば、ホーニング加工が採用されてもよい。なおこの場合においても、ＬＥＤ２７から照射された光を充分に拡散することができるのであれば、凹凸模様５０の表面粗さは特に限定されるものではない。
【００３８】
・  本実施形態では、透光孔４１の下方においてその対向箇所にＬＥＤ２７を配設したが、このＬＥＤ２７の配設箇所はこれに限定されるものではない。すなわち、カバー２２に対して適当な量の光を照射することができるのであれば、各ＬＥＤ２７は透光孔４１の対向箇所から離間した箇所に配設されてもよい。
【００３９】
・  車室内の照明が過剰に明るくならないのであれば、物品載置板２６における遮光部を省略してもよい。この場合、例えば、物品載置板２６自体が、光の透過を許容する透明樹脂からなり、物品載置板２６の全体にわたって透光部が形成されるようになる。
【００４０】
・  図４に示すように、支持板４３の中央部側にもＬＥＤ２７を配設し、そのＬＥＤ２７の上方に位置する物品載置板２６の所定箇所に透光孔４１を穿設する構成を採用してもよい。また、支持板４３の周縁部上におけるＬＥＤ２７（本実施形態のＬＥＤ２７）を省略する代わりに、同支持板４３の中央部側にのみＬＥＤ２７を配設する構成を採用してもよい。なおこの場合には、物品載置板２６の側部３７に設けられた透光孔４１は省略される。
【００４１】
・  本実施形態では、物品載置板２６の下方にＬＥＤ２７を配設したが、このＬＥＤ２７の配設箇所はこれに限定されるものではない。すなわち、車室内の照明が過剰に明るくならないのであれば、ＬＥＤ２７の少なくとも一部（例えば、頂部）が物品載置板２６の上面よりも上方に位置している構成を採用してもよい。
【００４２】
・  本実施形態では、カバー２２をドーム状に形成したが、その形状は特に限定されるものではなく、同カバー２２を、例えば円筒状、多角筒状等に形成してもよい。すなわち、上部が開口されているカバー２２を採用してもよい。
【００４３】
・  本実施形態においては、底壁部材２４及び周壁部材２５の双方は、光を透過しないように構成されたが、車室内の照明が過剰に明るくならないのであれば、これら底壁部材２４及び周壁部材２５の双方に、光の透過を許容する透光部（透光孔４１）を形成してもよい。或いは、底壁部材２４及び周壁部材２５の双方を、導光体から形成することで発光可能とする構成を採用してもよい。
【００４４】
・  本実施形態では、ベース部２１の底壁（底壁部材２４）と周壁（周壁部材２５）とを別部材により構成したが、これら底壁及び周壁を一体で構成してもよい。こうした場合、部品点数が低減することとなり、組み付けの容易化を図ることができる。
【００４５】
・  ベース部２１の周壁（周壁部材２５）の形状は特に限定されるものではない。例えば、周壁部材２５の形状を、三角筒、四角筒状等の各種筒状に変更してもよい。なお、この場合には、底壁部材２４、物品載置板２６等の各種部材の形状は、周壁部材２５に応じて適宜変更される。
【００４６】
・  本実施形態の発光装飾品２０は、車室内のコンソールボックス１２に一体的に設置されているカップホルダー１１に収容されたが、この発光装飾品２０は、車室内の如何なる箇所に設置されたカップホルダーに収容されてもよい。例えば、車室内のインストルメントパネルに設置されているカップホルダーに発光装飾品２０を収容してもよい。なお、同カップホルダー１１は、通常のカップが保持可能であれば、如何なる構成であってもよい。
【００４７】
さらに、前記実施形態より把握できる技術的思想について以下に記載する。
・  前記ベース部の底壁及び周壁の双方は、前記光の透過を許容しないことを特徴とする発光装飾品。このような構成によれば、ベース部の底壁及び周壁は発光することがなく、カバーのみが発光するようになるため、車室内における適度な照明が容易且つ確実に可能となる。
【００４８】
・  カップを取り囲んで保持するカップホルダーと、同カップホルダーに保持される発光装飾品とを備える発光ユニットであって、前記ベース部は光源を備え、導光体からなる前記カバーは前記光源からの光が照射されて発光可能とされ、前記ベース部は、前記光源と前記カバーとの間に物品載置空間が確保できるように、物品載置板を有してなることを特徴とする発光ユニット。
【図面の簡単な説明】
【００４９】
【図１】車室内のカップホルダーに保持された発光装飾品を示す斜視図。
【図２】同発光装飾品を示す側断面図。
【図３】同発光装飾品を示す分解斜視図。
【図４】別例の発光装飾品を示す側断面図。
【符号の説明】
【００５０】
１１…カップホルダー、２０…発光装飾品、２１…ベース部、２２…カバー、２４…ベース部の底壁を構成する底壁部材、２５…ベース部の周壁を構成する周壁部材、２６…物品載置板、２７…光源としてのＬＥＤ、４１…透光部としての透光孔、５０…凹凸模様、Ｋ１…物品載置空間。
【図１】
2007145089.tif 000003
【図２】
2007145089.tif 000004
【図３】
2007145089.tif 000005
【図４】
2007145089.tif 000006